(57)【要約】【課題】安価でスペースを要せず設置で搬入の手間も少なく、容易に貼着と剥離が可能で共期間の使用も可能な反射型スクリーンを提供すること。【解決手段】反射映像を表示するための反射型スクリーンであって、表示側より、映像表示層、少なくとも１種類の合成樹脂繊維を含む繊維質基材層、隠蔽層、でんぶん糊と水性アクリル系接着剤とからなる粘着剤層とをこの順に有すること記繊維質基材層の３０重量％以上が合成樹脂繊維からなること、を特徴とする。湿潤時の伸び、乾燥時の縮みを避け、寸法安定性が得られるものとなる。【選択図】  図１
2007114326.tif 000002
【特許請求の範囲】
【請求項１】
反射映像を表示するための反射型スクリーンであって、表示側より、映像表示層、少なくとも１種類の合成樹脂繊維を含む繊維質基材層、隠蔽層、でんぶんを含む粘着剤層をこの順に有することを特徴とする反射型スクリーン。
【請求項２】
前記繊維質基材層の３０重量％以上が合成樹脂繊維からなることを特徴とする請求項１記載の反射型スクリーン。
【発明の詳細な説明】
【技術分野】
【０００１】
本発明は、反射映像を表示するための反射型スクリーンに関し、特には安価で取扱が容易な反射型スクリーンに関する。
【背景技術】
【０００２】
反射型スクリーンとしては、巻き上げ装置を天井近傍に吊るして使用時に引き下げるものが知られている。最近では天井内部に巻き上げ装置を設置し、壁面の操作盤で引き下げ、巻き上げができるように設計されたものもある。また壁が扉状に開いてその壁面内部に設置されたものも知られている。より安価な例では、組立可能な設置装置の上部に前記巻き上げ装置を設置するものがあり、さらには、大型で移動可能な台車がついたものなどもある。巻き上げるタイプのものは省スペースではあるが、表示面が平面に安定せず、また巻き上げ引き下げの装置機構が別途必要であり複雑な構造となっている。壁面内部や移動できる大型なものなどで映像表示部が固定されたものは光学特性に優れたものが多いが、その分高価なものとなっていた。また搬入や設置にも手間と費用が発生するものであった。
【０００３】
そこで、任意の平面に剥離自在に貼着できる反射型スクリーンが考えられた。（特許文献１）しかしながら、粘着性の強い粘着剤を用いると、貼る際の位置付けが困難であった。逆に粘着性の弱い粘着剤では、剥がれやすいものとなる。また、長期間貼りつづけることにより、温度や湿度に伴う寸法変化の影響で割れやシワや膨れが発生しやすかった。割れやシワや膨れが発生すると、映像が歪んでしまい、問題となる。
【特許文献１】特開２００４−０５４０６７号
【発明の開示】
【発明が解決しようとする課題】
【０００４】
本発明はこのような問題点を解決するためになされたものであり、その課題とするところは、安価でスペースを要せず設置で搬入の手間も少なく、容易に貼着と剥離が可能で共期間の使用も可能な反射型スクリーンを提供することにある。
【課題を解決するための手段】
【０００５】
本発明はこのような課題を解決するためのものであり、請求項１記載の発明は、反射映像を表示するための反射型スクリーンであって、表示側より、映像表示層、少なくとも１種類の合成樹脂繊維を含む繊維質基材層、隠蔽層、でんぶん糊と水性アクリル系接着剤とからなる粘着剤層とをこの順に有することを特徴とする反射型スクリーンである。
【０００６】
また、請求項２記載の発明は、前記繊維質基材層の３０重量％以上が合成樹脂繊維からなることを特徴とする請求項１記載の反射型スクリーンである。
【発明の効果】
【０００７】
本発明はその請求項１記載の発明により、でんぷん糊により貼る際の位置決めが容易となり、水性アクリル系接着剤により既存の壁紙の上などにも貼り合わせることが可能となる。また、合成樹脂繊維を含む繊維質基材層とすることで、湿潤時の伸び、乾燥時の縮みを避け、寸法安定性が得られるものとなる。
【発明を実施するための最良の形態】
【０００８】
以下、本発明を図面に基づき詳細に説明する。図１に本発明の反射型スクリーンの一実施例の断面の構造を示す。適宜設ける剥離層１の上に、でんぷん糊と水性アクリル系接着剤からなる粘着剤層２、背面の色を隠蔽するための黒や灰色に着色した隠蔽層３、少なくとも１種類の合成樹脂繊維を含む繊維質基材層４、酸化チタンなどを含有して白色とした樹脂などによる映像表示層５からなる。
【０００９】
適宜設ける剥離層１は、接着時に水分を含有して貼り付けることを目的とした後述する粘着剤層を長期間保護するために設けるものであって、防湿性及び酸素バリア性を有するものであれば市販のものを使用可能である。具体的には２軸延伸ポリプロピレンフィルムまたはポリエチレンテレフタレートフィルムなどで背面に桝目やロゴ、注意書きなどの印刷があっても良い。
また、本発明の反射型スクリーンを一次的にはがすときに、巻き上げる場合、粘着剤が映像表示層に付着するのを防止するために、映像表示層表面に重ねてから巻き上げるのに使用したりすることもできる。
また本発明の反射型スクリーンを、蒸着フィルムやアルミ箔からなり防湿性及び酸素バリア性に優れた包材で包装し、脱酸素剤を同封することで長期間の保存が可能である。
【００１０】
本発明における粘着剤層２は、でんぶん糊と水性アクリル系接着剤とからなるものであり、その配合の詳細や塗布量は後述する繊維質基材層に合わせて適宜調整すればよいが、特には、配合としては５０対５０、塗布量は１００〜２００ｇ／ｍ２程度が好ましい。製法としては、ロールコーター等によるコートで設けることができる。
粘着剤層２は乾燥した状態で保持され、再湿により粘着性を復元するものとなる。
【００１１】
本発明における隠蔽層３は、背面の色を隠蔽するための黒色や灰色に着色したものであればよいが、特にはカーボンブラック、硝化綿などが好ましい。製法としては、グラビア印刷又はロールコーター等によるコートで設けることができる。黒色や灰色にすることで光吸収層を兼ねることができ、下地の色を隠すだけでなく、反射特性にも寄与するものとなる。
【００１２】
本発明における繊維質基材層４は、少なくとも１種類の合成樹脂繊維を含むものであり、合成樹脂繊維混抄紙や不織布などであって、合成樹脂繊維としてはポリエチレン繊維、ポリエチレンテレフタレート繊維などが使用可能である。
これにより、粘着時に水分を含有することで粘着性を発現する粘着剤を利用しても、反射型スクリーンの寸法が安定したものとなる。
合成樹脂繊維だけのフィルムではでんぷん糊との接着性に難がある。紙だけの基材では湿潤時に伸び、また乾燥時には縮んでしまう。紙または不織布に合成樹脂繊維を、特には３０重量％以上含むことで、粘着剤との粘着性と寸法安定性の両方を得ることが可能となる。坪量は５０〜１５０ｇ／ｍ２が好ましい。
【００１３】
本発明における映像表示層５は、酸化チタンなどを含有して白色とした樹脂などによるものであれば良い。樹脂はエチレンビニルアルコールなどが適用可能であり、酸化チタンの他には炭酸カルシウムなどでも良い。製法としてはエマルジョンのコーティングまたはカレンダーで製膜すればよい。また表面はコーティングで平滑に仕上げるＫとができるのであれば平滑なままでも良いが、微細なエンボス加工を施すことで、外光によるコントラストへの悪影響を軽減することが可能となる。厚みとしては、スクリーンの施工やハンドリング上、４０〜２００μｍの範囲であることが好ましい。これより薄いとコシが無く、シワになりやすい。またこれより厚いと剛性がありすぎて、運搬時にロール状にした際に折れシワが入ったりする可能性が有る。
【実施例１】
【００１４】
剥離層１として、厚さ１２μｍの２軸延伸ポリプロピレンフィルムを用いた。接着剤層２として、澱粉糊５０重量部と水性アクリル系接着剤５０重量部とを水で希釈したものを乾燥後塗布量１５０ｇ／ｍ２となるように塗布した。隠蔽層３として、顔料カーボンブラックとビヒクル硝化綿を乾燥後塗布量１ｇ／ｍ２となるように塗布した。混抄紙層４として、パルプ３０重量％にポリエチレンテレフタレート繊維３５重量％、ポリエチレン繊維１０重量％、麻２５重量％からなり、坪量８５ｇ／ｍ２のものを用いた。表面樹脂層５として、エチレン酢酸ビニル共重合樹脂４７．５重量％と炭酸カルシウム４７．５重量％と酸化チタン５重量％を厚み１００μｍとなるようにカレンダー装置で製膜し、表面には微細なエンボス加工を施した。以上のようにして反射型スクリーンを得た。得られた反射型スクリーンを壁に貼る施工は位置の特定も容易で状態も良好で平滑な仕上がりとなり、市販のプロジェクターで映写したが問題はなかった。
【００１５】
＜比較例１＞
混抄紙層４として、パルプ３０重量％、麻７０重量％とした以外は実施例１と同様にして反射型スクリーンを得た。得られた反射型スクリーンは貼った後に全体が収縮し、継ぎ目が開いたものとなった。
【００１６】
＜比較例２＞
接着剤層２として、強い粘着性を持つアクリル系粘着剤を厚さ５０μｍで設けたものとした以外は実施例１と同様にして反射型スクリーンを得た。得られた反射型スクリーンを貼る際に位置決めが難しく、少しずれて貼ったところを直そうとした際に紙層で剥離を起こしてしまった。
【００１７】
＜比較例３＞
接着剤層２として、弱い粘着性を持つアクリル系粘着剤を厚さ５０μｍで設けたものとした以外は実施例１と同様にして反射型スクリーンを得た。得られた反射型スクリーンは貼った後に膨れが生じた。
【産業上の利用可能性】
【００１８】
本発明の反射型スクリーンは、小さいクリーンを連続して貼る事で容易に大型のスクリーンとしても利用可能である。このように用いても本願発明の反射型スクリーンは寸法安定性を有することから、継ぎ目が開いたりすることもない。また、壁面の大きさに併せて任意のサイズのスクリーンとすることもに可能である。
【図面の簡単な説明】
【００１９】
【図１】本発明の反射型スクリーンの一実施例の断面の構造を示す説明図である。
【符号の説明】
【００２０】
１…剥離層
２…粘着剤層
３…隠蔽層
４…繊維質基材層
５…映像表示層
【図１】
2007114326.tif 000003